(57)【特許請求の範囲】
【請求項１】
基材、及び前記基材上の個別情報を記録する所定領域に設けられ、加熱されることにより情報を発泡隆起して表示可能な熱隆起性材料が未隆起状態で形成された情報記録予定層を備える情報記録媒体に対し、印字ヘッドの発熱体により前記情報記録予定層上の所定領域を加熱し、その加熱領域に所定の個別情報が発泡隆起して表示された隆起部を形成する印刷物の製造方法において、
前記熱隆起性材料に、電離放射線硬化性樹脂からなる硬化剤を添加し、
前記隆起部の形成後に前記情報記録予定層に電離放射線を照射し、
前記隆起部を硬化させるとともに、前記隆起部以外の前記情報記録予定層を加熱により発泡隆起しないように硬化させること
を特徴とする印刷物の製造方法。
【請求項２】
請求項１に記載の印刷物の製造方法において、
前記印字ヘッドの発熱体は、染料又は顔料を含む転写体を介して前記情報記録予定層上の所定領域を加熱し、
前記加熱領域に前記染料又は顔料を付着させることにより、
前記隆起部上に前記染料又は顔料からなる着色層を形成すること
を特徴とする印刷物の製造方法。
【発明の詳細な説明】
【０００１】
【産業上の利用分野】
この発明は、発泡隆起して表示された個別情報を有する印刷物の製造方法に関するものである。
【０００２】
【従来の技術】
従来より、情報を凹凸状に隆起させる発泡印刷が知られており、例えば本の表紙や点字印刷物等に適用されている。
発泡印刷とは、発泡性のインキで印刷し、その発泡性インキを加熱することによりそのインキを発泡隆起させる印刷である。印刷方法には、（ａ）情報を発泡性インキにより印刷し、その部分を加熱して発泡させる方法、（ｂ）発泡性インキを一面に塗布し、文字等の領域又は文字等以外の領域をマスクして加熱する方法、（ｃ）発泡性インキを一面に塗布し、その面を加熱して発泡させた後、エンボス加工を行うことにより、凹凸状の模様や絵柄を形成する方法（特開昭５３−６３８４号公報等）、（ｄ）発泡性インキで印刷した後、加熱前にその表面部分に発泡温度を変化させる抑制剤を塗布し、加熱の程度や加熱時間を制御して、異なる厚さを有するように形成する方法（特公昭４３−２８６３６号公報）等が知られている。
【０００３】
また、発泡性インキ及び加熱方法には、（１）水溶性発泡剤に染料を１０％程度加えたインキにより印刷し、６０℃以下で予備乾燥後、１０５〜１２０℃で１〜２分加熱するもの、（２）ＰＶＡカプセルに封入した発泡剤を含むインキにより印刷し、１１０℃で１分加熱するもの、（３）発泡剤を混入した樹脂性インキにより印刷し、１２０〜１４０℃の炉の中を通過させるもの等が知られている。
【０００４】
【発明が解決しようとする課題】
しかし、前述の従来の発泡印刷による印刷物とその製造方法では、全ての印刷物に略同一の文字，絵柄等の共通情報を形成することはできるが、印刷物ごとに異なる個別情報を形成することは、生産性の面で不適であるという問題がある。
【０００５】
本発明は、上述のような課題を解消するためになされたものであって、発泡印刷を用いて印刷物ごとに異なる個別情報を簡易かつ経済的に形成することを目的とする。
【０００８】
【課題を解決するための手段】
上述の目的を達成するために、印刷物の製造方法の第１の解決手段は、基材（１１）、及び前記基材上の個別情報を記録する所定領域に設けられ、加熱されることにより情報を発泡隆起して表示可能な熱隆起性材料が未隆起状態で形成された情報記録予定層（１２）を備える情報記録媒体（１０）に対し、印字ヘッド（２１）の発熱体により前記情報記録予定層上の所定領域を加熱し、その加熱領域に所定の個別情報が発泡隆起して表示された隆起部（１２ａ）を形成する印刷物の製造方法において、前記熱隆起性材料に、電離放射線硬化性樹脂からなる硬化剤を添加し、前記隆起部の形成後に前記情報記録予定層に電離放射線を照射し、前記隆起部を硬化させるとともに、前記隆起部以外の前記情報記録予定層を加熱により発泡隆起しないように硬化させることを特徴とする。
本発明による印刷物の製造方法の第２の解決手段は、第１の解決手段の印刷物の製造方法において、前記印字ヘッドの発熱体は、染料又は顔料を含む転写体（２２）を介して前記情報記録予定層上の所定領域を加熱し、前記加熱領域に前記染料又は顔料を付着させることにより、前記隆起部上に前記染料又は顔料からなる着色層（１２ａ−１）を形成することを特徴とする。
【０００９】
【作用】
情報記録媒体の解決手段においては、情報記録予定層は、印字ヘッドの発熱体により加熱されると発泡隆起される。従って、熱転写プリンタ等を用いて、簡易に発泡隆起した個別情報を形成することができる情報記録媒体を提供することができる。
【００１０】
印刷物の解決手段においては、熱隆起性材料から形成された情報表示層は、情報が隆起して表示された隆起部と隆起していない未隆起部とを有する。従って、熱転写プリンタ等を用いて簡易に隆起部を形成することができるので、安価にこの印刷物を提供することができる。さらに第２の解決手段にあっては、隆起部の形成と同時に着色層が設けられるので、隆起部の目読をより容易にすることができる。さらにまた、第３の解決手段にあっては、情報表示層が硬化されることにより未隆起部が加熱によっても隆起しなくなるので、改ざんや偽造を牽制，防止した印刷物を提供することができる。
【００１１】
印刷物の製造方法の解決手段においては、熱転写プリンタ等により発泡印刷を行うことができるので、発泡印刷による個別情報を簡易に形成することができる。さらに第２の解決手段にあっては、発泡印刷と同時にその情報を着色することができる。さらにまた、第３の解決手段にあっては、情報記録予定層が硬化されることにより隆起されていない部分が後の加熱によっても隆起しなくなるので、改ざん偽造を牽制，防止することができる。
【００１２】
【実施例】
以下、図面等を参照して、本発明の一実施例について説明する。図１は、本発明による情報記録媒体の一実施例の構成を示す平面図及び側面図である。情報記録媒体１０（以下、単に「媒体１０」という。）は、図１（ａ）中上下方向に裁断可能に連続された媒体である。この媒体１０は、基材１１と、基材１１上の所定の領域に形成された情報記録予定層１２とから構成されている。
基材１１は、紙，塩ビフィルム等から形成され、その表面は、熱転写プリンタによるインキの転写適性が良好な面である。
情報記録予定層１２は、発泡性インキを塗布することにより形成された層である。発泡性インキは、短時間の加熱で発泡するものが望ましい。実施例での発泡性インキは、大日精化工業（株）製のニューダイフォーム、例えばＷ−１１１，Ｗ−２１１，Ｗ−３０１，Ｗ−３５０，Ｗ−４００，Ｗ−４０ＮＦ，Ｗ−４６ＮＦ，Ｗ−４８０，Ｗ−４８４，Ｗ−４８ＮＦ，Ｗ−４９４，Ｗ−５０１，Ｓ−５０１，Ｓ−６１２（以上製品名）等を用いた。
これらの発泡性インキを、基材１１上に、スクリーン印刷，グラビア印刷，フレキソ印刷，ロールコーティング等により１０〜数１０μｍ程度の厚みに塗布し、情報記録予定層１２を形成する。
【００１３】
情報記録予定層１２を構成する発泡インキには、さらに、着色剤，発色剤，電離放射線硬化性樹脂からなる硬化剤等を添加しても良い。また、その表面に、耐汚染性，耐摩耗性等を向上させるために、ウレタン，アクリル等からなるコート剤を塗布しても良い。
【００１４】
図２は、媒体１０から印刷物を製造する製造方法を説明するための図である。媒体１０上には、熱転写プリンタ，サーマルプリンタ等で、文字，記号，図形，模様等による情報が印字される。この情報は、全ての媒体１０に共通の情報でも良く、あるいは各媒体１０ごとに異なる個別情報でも良い。図２（ａ）は、基材１１上の情報記録予定層１２が形成されていない領域に、印字ヘッド２１がインクリボン２２を介して情報を印字している様子を示している。インクリボン２２は、従来より公知の染料又は顔料を含む転写体である。これにより、基材１１上には、インクリボン２２の染料又は顔料が付着し、情報が形成される。この印字方法は、従来の通常の印字方法と同様である。
【００１５】
図２（ｂ）は、情報記録予定層１２上の領域に、印字ヘッド２１がインクリボン２２を介して情報を印字している様子を示している。これにより、情報記録予定層１２上には、上述と同様に染料又は顔料が付着し、情報が形成される。この情報の形成と同時に、情報が形成される領域は、印字ヘッド２１により加熱されるので、発泡隆起する。
なお、印字ヘッド２１は、一度印字した領域を再度通過しないので、情報記録予定層１２が発泡隆起しても、その部分が印字ヘッド２１等と干渉することはない。
【００１６】
図３は、以上のようにして媒体１０から形成された印刷物３０を示す平面図及び側面図である。印刷物３０の基材１１上の領域には、図２（ａ）で示した印字により、情報層１３が形成されている。
また、情報記録予定層１２上には、図２（ｂ）で示した印字により、発泡隆起され、かつ、インクリボン２２によりその上面に着色層１２ａ−１を有する隆起部１２ａが形成されている。また、情報記録予定層１２の隆起部１２ａ以外の領域は、発泡隆起されていない未隆起部１２ｂである。
【００１７】
以上の製造方法により、共通情報はもとより、印刷物３０ごとに異なる個別情報を発泡印刷で簡易かつ経済的に形成することができる。
また、従来のように紙面上に直接発泡隆起した情報層が形成されたものは、カッター等で削り取ることが可能であり、改ざんや偽造のおそれがあったが、本発明による隆起部１２ａは、情報記録予定層１２に一体で形成されるので、改ざんや偽造をより牽制，防止することができる。さらに、上述したように情報記録予定層１２に電離放射線硬化性樹脂からなる硬化剤を添加し、印字が終了した後に印刷物３０に電離放射線を照射すれば、未隆起部１２ｂが加熱されても発泡隆起しないように硬化させることができるので、情報のセキュリティ性をより高めることができる。
発泡隆起した隆起部１２ａは、触読が可能であるので、視覚障害者がこの情報を読み取ることができる。
【００１８】
以上、本発明の一実施例について説明したが、本発明は、上述した実施例に限定されることなく、その要旨を逸脱しない範囲内で種々の変形が可能である。例えば、実施例では、隆起部１２ａ上には、インクリボン２２により着色された着色層１２ａ−１を設けたが、発泡隆起により隆起部１２ａが未隆起部１２ｂに対して変色する場合や、発泡インキに加熱により発色する発色剤を添加した場合等、着色層１２ａ−１を設けなくても隆起部１２ａが目読可能であれば、必ずしも着色層１２ａ−１を設ける必要はない。すなわち、印字において必ずしもインクリボン２２を介して印字する必要はない。
【００１９】
本発明による印刷物３０は、種々の用途、例えば商品のパッケージ，書籍の表紙，名刺，ポスター，カタログ，レターヘッド，表彰状や、保証書，預金通帳，入場券，乗車券，くじ，切符（定期券，クーポン券，旅券，チケット等），食券，馬券，有価証券（手形，為替，債券，株券，商品券，小切手，ギフト券等）等に用いることができる。
【００２０】
【発明の効果】
本発明によれば、熱転写プリンタ等を用いて、簡易かつ経済的に個別情報を発泡隆起した隆起部を形成することができる。また、この隆起部の形成と同時に、個別情報を目読可能にする着色層を形成することができる。
このように形成された隆起部が表示する個別情報は、視覚障害者が容易に触読することができる。
また、隆起部と未隆起部とが一体で形成されていることにより、印刷物の改ざん，偽造を牽制，防止することができる。さらに、電離放射線硬化性樹脂からなる硬化剤を用いて硬化することにより、より情報のセキュリティ性を高めることができる。
【図面の簡単な説明】
【図１】本発明による情報記録媒体の一実施例の構成を示す図である。
【図２】媒体１０から印刷物を製造する製造方法を説明するための図である。
【図３】媒体１０から形成された印刷物３０を示す図である。
【符号の説明】
１０  情報記録媒体
１１  基材
１２  情報記録予定層
１２ａ  隆起部
１２ａ−１  着色層
１２ｂ  未隆起部
１３  情報層
２１  印字ヘッド
２２  インクリボン
３０  印刷物
【図１】
0003703860.tif 000002
【図２】
0003703860.tif 000003
【図３】
0003703860.tif 000004